(57)【要約】【課題】用紙の紙質、綴じ針の有無にかかわらず、良好な排出、積載ができるようにする。【解決手段】搬送、排出される用紙に対し、搬送方向と直交する両サイド部分で、搬送方向にガイドすると共に排出口の直前で、この用紙を、中央部分より両サイド部分の方が高くなるようにわん曲させるように、用紙の下面に接してガイドし、かつ、排出口に近づく程このガイド接触面が高くなるように形成されたわん曲形成用傾斜部122 を備えたサイドガイド部材100 を設ける。また、わん曲動作の際に用紙が浮き上がらないように、中央押え部材200 を設ける。更に、排出口外側面から用紙排出容器700 上方部位にかけて、排出された用紙の先端上面と当接させて下方へと導く排出口外側面に保持されて上方にのみ回動する当接誘導棒610 を含む用紙誘導部材600 を設ける。【選択図】図１
2007246273.tif 000002
【特許請求の範囲】
【請求項１】
搬送されて来た用紙を、用紙排出容器へと順次排出し積層する用紙排出機構であって、次の各構成を有することを特徴とする用紙排出機構。
（イ）排出方向へと搬送される用紙を、搬送方向と直交する両サイド部分で、搬送方向にガイドすると共に、排出口の直前で、この用紙を、その中央部分より両サイド部分の方が高くなるようにわん曲させる、わん曲形成部を備えたサイドガイド部材
（ロ）排出方向へと搬送される用紙を、その搬送方向と直交する中央部分で搬送路面上に押し付けて、前記サイドガイド部材による用紙わん曲動作の際にこの用紙が浮き上がらないようにする用紙中央押え部材
【請求項２】
前記サイドガイド部材は、
前記用紙の両サイド下面に接触してこの用紙をガイドする下面ガイド部材を備えて成り、この下面ガイド部材が、
前記搬送路の中央部分路面と同一平面内にある水平ガイド部と、この水平ガイド部とつながり、前記排出口に近づく程、その高さが高くなるように傾斜して前記わん曲形成部となる傾斜ガイド部と、
を含んで成る構造である
ことを特徴とする請求項１記載の用紙排出機構。
【請求項３】
前記サイドガイド部材は、
その用紙搬送方向と直交する幅方向の位置を、用紙の幅方向サイズに応じて、変更できるようになっており、かつ、用紙のステープル綴じの際には、用紙の搬送方向と直交する幅方向に往復動作して用紙の両サイドに当接、離反をくり返しながら用紙を揃える構造を有することを特徴とする請求項１または請求項２記載の用紙排出機構。
【請求項４】
請求項１乃至請求項３のいずれか１項に記載の構成に加えて、
前記排出口外側面の上部から前記用紙排出容器上方部位にかけて配置され、前記排出口から排出された用紙の先端辺中央部分上面を当接させて、この用紙がわん曲状態を維持できるようにしてこの用紙を下方へと導く用紙誘導部材を設けたことを特徴とする用紙排出機構。
【請求項５】
前記用紙誘導部材は、
前記排出された用紙の先端辺上面が当接する当接誘導棒と、
この当接誘導棒を、先端が低くなるように傾斜させかつ上方へ回動可能なように前記排出口外側面上部に保持する傾斜保持部と、
を有することを特徴とする請求項４記載の用紙排出機構。
【請求項６】
請求項５の構成に加えて、
前記傾斜保持部における当接誘導棒の傾斜を調整する傾斜調整機構を有することを特徴とする用紙排出機構。
【発明の詳細な説明】
【技術分野】
【０００１】
本発明は用紙排出機構に関し、特に用紙処理装置等からの用紙を順次排出、積層する用紙排出機構の技術分野に属する。
【背景技術】
【０００２】
丁合機や画像形成装置などの用紙処理装置では、用紙に対し綴じ処理等の後処理を行った後、この用紙を順次排出する。排出された用紙は、順次積層するのが一般的であるが、綴じ処理が行われている用紙では、前に排出された用紙束のステープルに今回排出した用紙束の先端が突き当ってしまい、排出状態や積層状態を良好に進行させることができなくなったり、また、綴じ処理を行わない場合でも、腰の弱い用紙では、この用紙が下方向に撓んでしまい、良好な排出状態、積層状態を維持できなくなってしまう。
【０００３】
そこで、綴じ処理が行われた用紙束であっても、また綴じ処理が行われなかった用紙であっても、排出状態、積層状態を向上させることができる用紙排出機構を提案した例がある。
この用紙排出機構について、図４（ａ），（ｂ）を参照しながら説明する。
この用紙排出機構では、排出される用紙に対し、排出方向と直交する幅方向に図４（ｂ）のような波形を付けるようにしており、この波形を付ける機構部分が図４（ａ）のようになっている。
【０００４】
即ち、用紙９００は、排紙上ローラ部８１０と排紙下ローラ部８２０との間に挟まれて送られ、波形状に形成されて排出される。排紙上ローラ部８１０は、上ローラ軸８１１に、４個の上ローラ８１２〜８１５が設けられた構造となっており、また、排紙下ローラ部８２０は、下ローラ軸８２１に、５個の下ローラ８２２〜８２６が、これら下ローラの間に上記の上ローラが入り込む形で設けられている。
【０００５】
従って、これら上ローラと下ローラとの間に用紙９００が挟まれて、用紙９００に波形が付くこととなる。このように、排出される用紙９００に波形が付くことによって、腰の弱い用紙でも下方向に撓むことなく排出されるので、排出時の積載性を向上させることができる（例えば、特許文献１参照）。
【特許文献１】特開２００３−２４６５３１号公報（図９）
【発明の開示】
【発明が解決しようとする課題】
【０００６】
上述した背景技術における用紙排出機構では、用紙９００を、排紙上ローラ部８１０と排紙下ローラ部８２０との間に挟んで排出することにより、用紙９００に波形を付けることで用紙の腰を強くし、用紙が下方向に撓むのを防ぎ、その積載性を向上させるようにしているが、排出される用紙が用紙束として綴じられる場合、排出時における綴じ針の位置が必ずしも高くなるようにわん曲するとは限らないので、このような場合に、用紙の排出が進んで積載高さが高くなり、用紙の積載上面と排出口の高さとの間の差が少なくなってくると、先に排出された用紙束の綴じ針に今回排出する用紙の先端が当ってしまい、排出、積載不良を起こしてしまう、という問題点がある。
【０００７】
また、排紙上ローラ部８１０及び排紙下ローラ部８２０の構造が複雑であるので、その分コスト高になる、という問題点もある。
更に、排出時にこのような波形のわん曲を付けても、排出後、用紙はフリーとなるので、用紙のわん曲状態も甘くなって、先端側が下方向に曲がったり垂れ下ってしまう、という問題点がある。
【０００８】
本発明の課題は、このような背景技術における問題点に鑑みて、用紙の紙質、綴じ針の有無に関わらず、良好な排出、積載が安価にでき、しかも、用紙が排出された後でも用紙のわん曲状態を維持することができて良好な状態で排出、積載することができる用紙排出機構を提供することにある。
【課題を解決するための手段】
【０００９】
上記課題を解決するために、本発明は以下の各構成を有する。
本発明の第１の構成は、搬送されて来た用紙を、用紙排出容器へと順次排出し積層する用紙排出機構であって、次の各構成を有することを特徴とする用紙排出機構である。
（イ）排出方向へと搬送される用紙を、搬送方向と直交する両サイド部分で、搬送方向にガイドすると共に、排出口の直前で、この用紙を、その中央部分より両サイド部分の方が高くなるようにわん曲させる、わん曲形成部を備えたサイドガイド部材
（ロ）排出方向へと搬送される用紙を、その搬送方向と直交する中央部分で搬送路面上に押し付けて、前記サイドガイド部材による用紙わん曲動作の際にこの用紙が浮き上がらないようにする用紙中央押え部材
【００１０】
本発明の第２の構成は、前記第１の構成において、前記サイドガイド部材は、前記用紙の両サイド下面に接触してこの用紙をガイドする下面ガイド部材を備えて成り、この下面ガイド部材が、前記搬送路の中央部分路面と同一平面内にある水平ガイド部と、この水平ガイド部とつながり、前記排出口に近づく程、その高さが高くなるように傾斜して前記わん曲形成部となる傾斜ガイド部と、を含んで成る構造であることを特徴とする用紙排出機構である。
【００１１】
本発明の第３の構成は、前記第１の構成において、
前記サイドガイド部材は、その用紙搬送方向と直交する幅方向の位置を、用紙の幅方向サイズに応じて、変更できるようになっており、かつ、用紙のステープル綴じの際には、用紙の搬送方向と直交する幅方向に往復動作して用紙の両サイドに当接、離反をくり返しながら用紙を揃える構造を有することを特徴とする用紙排出機構である。
【００１２】
本発明の第４の構成は、前記第１の構成乃至第３の構成に加えて、
前記排出口外側面の上部から前記用紙排出容器上方部位にかけて配置され、前記排出口から排出された用紙の先端辺中央部分上面を当接させて、この用紙がわん曲状態を維持できるようにしてこの用紙を下方へと導く用紙誘導部材を設けたことを特徴とする用紙排出機構である。
【００１３】
本発明の第５の構成は、前記第４の構成における前記用紙誘導部材は、
前記排出された用紙の先端辺上面が当接する当接誘導棒と、
この当接誘導棒を、先端が低くなるように傾斜させかつ上方へ回動可能なように前記排出口外側面上部に保持する傾斜保持部と、
を有することを特徴とする用紙排出機構である。
【００１４】
本発明の第６の構成は、前記第５の構成に加えて、前記傾斜保持部における当接誘導棒の傾斜を調整する傾斜調整機構を有することを特徴とする用紙排出機構である。
【発明の効果】
【００１５】
本発明第１の構成では、搬送、排出される用紙に対し、その搬送方向と直交する両サイドをガイドするサイドガイド部材に、排出口直前でこの用紙を、中央部分より両サイドの方が高くなるようにわく曲させる、わん曲形成部を設け、かつ、このわん曲形成動作の際に用紙が浮き上がらないように用紙の中央部分を搬送路面上に押え付ける用紙中央押え部材を設けたので、用紙の両サイドが中央部分より持ち上げられてＵ字状にわん曲して、腰の弱い用紙であっても、排出時に、その先端側が下方へと撓んだり、垂れ下がったりするのを防ぐことができ、用紙排出容器への排出、積載を良好な状態で進めることができるという効果がある。
【００１６】
また、綴じ針で綴じられる場合には、通常、綴じ針は中央部分には無く、中央部分に対しその両サイド側へと対称となる位置に設けられるので、用紙の排出が進んでその積載高さが高くなっても、排出された用紙の先端が先に排出された用紙の綴じ針に当たることはなく、従って、排出、積載状態を良好に維持することができる、という効果がある。
【００１７】
本発明第２の構成では、サイドガイド部材に、用紙の下面をガイドする下面ガイド部材を設けて、この下面ガイド部材を、搬送路中央部分の路面と同一平面にある水平ガイド部と、これとつながって延びて排出口近づく程高くなる傾斜ガイド部とを含む構造としたので、用紙が下流側へと搬送されるにつれて、この用紙を、無理なく徐々にＵ字状にわん曲させることができる、という効果がある。
【００１８】
本発明第３の構成では、サイドガイド部材が、その用紙搬送方向と直交する幅方向の位置を、用紙の幅方向サイズに応じて、変更できるようになっており、かつ、用紙のステープル綴じの際には、用紙の搬送方向と直交する幅方向に往復動作して用紙の両サイドに当接、離反をくり返しながら用紙を揃える構造となっているので、用紙サイズが変わっても、そのサイズに応じて両サイド端縁を揃えてガイドすることができ、ステープル綴じ動作及びＵ字状わん曲動作を円滑に進行させることができる、という効果がある。
【００１９】
本発明第４の構成では、排出口外側上部から用紙排出容器上方部位にかけて配置された用紙誘導部材を設けて、この用紙誘導部材に、排出された用紙の先端辺中央部分の上面が当接して用紙を下方へと導くようにしているので、排出された用紙はその中央部分が下方に押されてＵ字状にわん曲した状態を維持することができ、用紙排出容器への排出、積載が良好に進められる、という効果がある。
【００２０】
本発明第５の構成では、用紙誘導部材を、用紙先端上面が当接する当接誘導棒と、この当接誘導棒を排出口外側上部に、上方に回動可能なように、かつその前方側が低くなるように傾斜させて保持する傾斜保持部とを有する構造としているので、排出された用紙の先端上面を確実に当接させてわん曲状態を維持して下方へと誘導することができ、積載状態を良好に進めることができる。また、当接誘導棒は上方にのみ回動可能であるので、用紙の束の多い場合や、腰が強くわん曲しにくい場合には、当接誘導棒に当ったときの抵抗も大きく、用紙に傷がつくこともあるが、このような場合に、当接誘導棒が上方に回動すると、用紙に傷がつくのを防ぐことができる、という効果がある。
【００２１】
本発明第６の構成では、当接誘導棒の傾斜角を調整できるようにしているので、この傾斜角を調整することにより、腰の弱い用紙は早めに、腰の強い用紙は遅めに、この当接誘導棒に当たるようにすることができ、様々な紙質の用紙を使用しても、その紙質に合わせて傾斜角を設定することができる、という効果がある。
また、本発明では、上記各構成のように、その構造も単純化されているので、コストを低減することができる、という効果もある。
【発明を実施するための最良の形態】
【００２２】
本発明を実施するための最良の形態は、排出方向へと搬送される用紙を、搬送方向と直交する両サイド部分で、搬送方向にガイドすると共に、排出口の直前で、この用紙を、その中央部分より両サイド部分の方が高くなるようにわん曲させる、わん曲形成部を備えたサイドガイド部材と、搬送される用紙を、その搬送方向と直交する中央部分で搬送路面上に押し付ける用紙中央押え部材と、を有する構成とし、上記サイドガイド部材には、用紙の下面をガイドする下面ガイド部材を設けて、この下面ガイド部材を、搬送路中央部分路面と同一平面内にある水平ガイド部と、これにつながり、排出口に近づく程その高さが高くなるように傾斜して上記わん曲形成部となる傾斜ガイド部と、を含む構造とする。
【００２３】
更に、排出口外側上部から用紙排出容器上方部位にかけて、排出された用紙の先端辺中央部分上面が当接してこの用紙を下方へと導く、当接誘導棒を設け、この当接誘導棒は、排出口外側上部に、上方のみに回動可能で前方が低くなるように傾斜させて保持され、この傾斜角が調整できるようになっている。
【実施例】
【００２４】
次に本発明の実施例について図面を参照して説明する。
図１（ａ），（ｂ）は本発明の一実施例を説明するための用紙排出機構全体の平面図及び側面図、図２はその主要部分の前方から見た用紙挟持搬送状態を示す図、図３はこの実施例における用紙誘導部材部分の側面図である。
本発明は、搬送されて来た用紙（９００）を、用紙排出容器７００へと順次排出し積層する用紙排出機構であって、搬送機構５００によって、排出方向へと搬送される用紙（９００）を、搬送方向と直交する両サイド部分で、搬送方向にガイドすると共に、排出口の直前で、この用紙（９００）を、その中央部分より両サイド部分の方が高くなるようにわん曲させるわん曲形成用傾斜部１２２を備えたサイドガイド部材１００と、排出方向へと搬送される用紙（９００）を、その搬送方向と直交する幅方向中央部分で搬送路面５１１に押し付けて、サイドガイド部材１００により用紙がわん曲される際に、この用紙（９００）が浮き上がらないようにする用紙中央押え部材２００と、を有する構成となっている。
【００２５】
また、この発明の実施例では、サイドガイド部材１００が、用紙の両端を垂直方向でガイドする部分のサイド垂直ガイド板１１０と、用紙の両サイド下面に接触してガイドする下面ガイド板１２０とを備えており、この下面ガイド板１２０には、搬送路面５１１の中央部分と同一平面内にある水平ガイド部１２１と、この水平ガイド部１２１とつながって、排出口に近づくに従ってその高さが高くなるように傾斜したわん曲形成用傾斜部１２２と、を含んでいる。
また、サイドガイド部材１００は、その用紙の搬送方向と直交する幅方向の位置を、用紙の幅方向のサイズに応じて変更できるようになっている。そして用紙をステープル綴じする際に、用紙の搬送方向と直交する幅方向に往復動作して、用紙の両サイド端縁に当接して用紙を揃える機能をも有する。
【００２６】
更に、この発明の実施例では、上記構成のほかに、排出口外側面上部から用紙排出容器上方部位にかけて、排出された用紙の先端中央上面を当接させてこの用紙をわん曲させた状態で下方へと導く、用紙誘導部材６００が設けられており、この用紙誘導部材６００は、用紙の先端上面が当接する当接誘導棒６１０と、その一方の端を、他方の端が回動可能で前方程低くなるように傾斜させて保持し、かつその傾斜が調整できる傾斜調整保持部６２０と、を有する構造となっている。
なお、この傾斜調整保持部６２０には、図３に示すように、傾斜調整用筐体６２１と、これに対し当接誘導棒６１０を回動可能なように保持する回動軸６２２と、傾斜調整用つまみ６２３と、を含む。
【図面の簡単な説明】
【００２７】
【図１】本発明の一実施例を説明するための用紙排出機構全体の平面図及び側面図である。
【図２】図１に示された用紙排出機構をその前方側から見た用紙排出搬送状態を示す図である。
【図３】この実施例における用紙誘導部材部分の側面図である。
【図４】背景技術における用紙排出機構の一例を示す、その前方から見た図及び排出された用紙をその前方側から見た図である。
【符号の説明】
【００２８】
１００  サイドガイド部材
１１０  サイド垂直ガイド板
１２０  下面ガイド板
１２１  水平ガイド部
１２２  わん曲形成用傾斜部
２００  中央押え部材
５００  搬送機構
５１０  搬送ベルト
６００  用紙誘導部材
６１０  当接誘導棒
６２０  傾斜調整保持部
６２１  傾斜調整用筐体
６２２  回動軸
６２３  傾斜調整用つまみ
７００  用紙排出容器
８１０  排紙上ローラ部
８２０  排紙下ローラ部
９００  用紙
【図１】
2007246273.tif 000003
【図２】
2007246273.tif 000004
【図３】
2007246273.tif 000005
【図４】
2007246273.tif 000006